(57)【要約】【課題】軸受に回転センサを組み合わせた回転センサ付き軸受は、玉軸受のように内輪及び外輪を有する軸受の場合はその内・外輪を利用して回転センサを組み合わせることができるが、滑り軸受のように軌道輪を持たない軸受の場合は、同様の組み合わせ構造をとることができない。そこで、軌道輪を有しない軸受においても回転センサを組み合わせることができ、また廃棄時の分解も容易にできるようにすることである。【解決手段】軸受１を有する軸受ハウジング２に対し、センサハウジング６が着脱自在に取り付けられ、エンコーダホルダー４が軸１０に対して着脱自在に取り付けられるとともに、そのエンコーダホルダー４に設けた抜け止めつば３２に前記センサハウジング６の一部を係合させて抜け止めを図った。【選択図】図１
2007024067.tif 000002
【特許請求の範囲】
【請求項１】
軸受（１）を内径面に設けた軸受ハウジング（２）、センサ（５）を取り付けたセンサハウジング（６）及びエンコーダ（３）を取り付けたエンコーダホルダー（４）の組み合わせからなり、前記エンコーダホルダー（４）のエンコーダ（３）を前記軸受ハウジング（２）内に前記軸受（１）と同軸状態に組み付け、前記センサハウジング（６）を前記軸受ハウジング（２）に取り付けるとともに、そのセンサ（５）を前記エンコーダ（３）に接近配置してなる回転センサ付き軸受において、
前記センサハウジング（６）は前記軸受ハウジング（２）の外周に対する着脱自在の取り付け手段を、また前記エンコーダホルダー（４）は軸（１０）に対する着脱自在の取り付け手段をそれぞれ設けたことを特徴とする回転センサ付き軸受。
【請求項２】
前記軸受（１）が前記軸受ハウジングの内径面に形成された滑り軸受であることを特徴とする請求項１に記載の回転センサ付き軸受。
【請求項３】
前記軸受（１）が前記軸受ハウジングの内径面に嵌合された含油滑り軸受（１ａ）又は針状ころ軸受（１ｂ）であることを特徴とする請求項１に記載の回転センサ付き軸受。
【請求項４】
前記エンコーダホルダー（４）は、外径面中央部に抜け止めつば（３２）が形成された円筒体より成り、その抜け止めつば（３２）の軸方向内端側の円筒部分に前記エンコーダ（３）が嵌合され、軸方向外端側の円筒部分に前記軸（１０）に対する着脱自在の取り付け手段としての一対の弾性ストッパアーム（３４）が設けられ、前記センサハウジング（６）は、前記軸受ハウジング（２）に対する前記着脱自在の取り付け手段としての一対の結合アーム（２３）が設けられ、その結合アーム（２３）の一部を前記抜け止めつば（３２）の軸方向外端面に係合させて抜け止めを図ったことを特徴とする請求項１から３のいずれかに記載の回転センサ付き軸受。
【発明の詳細な説明】
【技術分野】
【０００１】
この発明は、複写機、プリンター等の事務機器に使用される回転センサ付き軸受に関し、特に滑り軸受のように軌道輪を持たない軸受を用いた回転センサ付き軸受に関するものである。
【背景技術】
【０００２】
従来から知られている回転センサ付き軸受は、内・外輪からなる一対の軌道輪の間に転動体を介在した転がり軸受に回転センサを組み合わせたものが一般的である。転がり軸受に回転センサを組み合わせる構成としては、固定側軌道輪にセンサハウジングを取り付けるとともに、回転側軌道輪にエンコーダを取り付け、前記センサハウジングに装着したセンサを前記エンコーダに接近配置した構成が取られる（特許文献１）。
【特許文献１】特開２００４−１４４２７０号公報
【発明の開示】
【発明が解決しようとする課題】
【０００３】
事務機器等における軸受は、一般に軽荷重で使用される場合が多いため、樹脂材や焼結材を用いた滑り軸受が多く使用される。しかし、滑り軸受は転がり軸受の内・外輪のような軌道輪を持たないため、センサハウジングやエンコーダを取り付ける手段がない。
【０００４】
一方、滑り軸受は、内・外輪を持った転がり軸受に比べ寿命が短いためメンテナンス時に交換する頻度が高い特質がある。このため、単に滑り軸受と回転センサ部分を結合一体化しただけの構造では、回転センサ部分の寿命の方が軸受部の寿命より相当長いので、メンテナンスによる軸受の交換時に未だ寿命に達していない回転センサ部分も交換せざるを得ないこととなり、部品価格が高くなる要因となっていた。
【０００５】
また、廃棄時は軸受部分と回転センサ部分が強固に一体化されていると分別廃棄が困難となり、環境上の問題ともなり得るものであった。
【０００６】
そこで、この発明は、滑り軸受や針状ころ軸受のように、内・外輪からなる軌道輪を持たない軸受において、回転センサをこれらの軸受に組み合わせることができるようにし、また廃棄時は各部品に細かく分解して分別廃棄できるようにした回転センサ付き軸受を提供することを課題とする。
【課題を解決するための手段】
【０００７】
前記の課題を解決するために、この発明においては、軸受を内径面に設けた軸受ハウジング、センサを取り付けたセンサハウジング及びエンコーダを取り付けたエンコーダホルダーの組み合わせからなり、前記エンコーダホルダーのエンコーダを前記軸受ハウジング内に前記軸受と同軸状態に組み付け、前記センサハウジングを前記軸受ハウジングに取り付けるとともに、そのセンサを前記エンコーダに接近配置してなる回転センサ付き軸受において、前記センサハウジングは前記軸受ハウジングの外周に対する着脱自在の取り付け手段を、また前記エンコーダホルダーは軸に対する着脱自在の取り付け手段をそれぞれ設けた構成を採用した。
【０００８】
前記の回転センサ付き軸受は、軸受を有する軸受ハウジングにセンサハウジングが組み付けられ、またエンコーダホルダーが軸に取り付けられるので、軌道輪のない軸受にも回転センサを組み合わせることができる。また、廃棄時はこれらの部品に分解・分別することができる。
【０００９】
前記の軸受ハウジングに設けられる軸受としては、その軸受ハウジングの内径面に直接形成された滑り軸受、該軸受ハウジングとは別体の含油滑り軸受、針状ころ軸受等がある。
【００１０】
また、前記エンコーダホルダーは、外径面中央部に抜け止めつばが形成された円筒体より成り、その抜け止めつばの軸方向内端側の円筒部分に前記エンコーダが嵌合され、軸方向外端側の円筒部分に前記軸に対する着脱自在の取り付け手段としての一対の弾性ストッパアームが設けられ、前記センサハウジングは、前記軸受ハウジングに対する前記着脱自在の取り付け手段としての一対の結合アームが設けられ、その結合アームの一部を前記抜け止めつばの軸方向外端面に係合させて抜け止めを図った構成をとることができる。このように構成することにより、エンコーダホルダーが軸受ハウジングに一体に組み付けられる。
【発明の効果】
【００１１】
以上のように、この発明においては、軸受ハウジングにセンサハウジングを、またエンコーダホルダーを軸にそれぞれ組み付けるようにしているので、軌道輪のない滑り軸受等についても回転センサ付き軸受を実現することができ、また従来の転がり軸受を用いた回転センサ付き軸受よりも低コストで提供することができる。
【００１２】
また、軸受ハウジングにセンサハウジングが一体化されると共に、エンコーダホルダーの抜け止めつばがセンサハウジングの結合アームに係合させることによりこれらの部品が一体化される。このため、搬送に便利であり、機器への組み付け作業も容易にできる。さらに、メンテナンス時において必要な部品のみの交換が可能であり、廃棄時は各部品に分解することができ分別廃棄が可能となる。
【発明を実施するための最良の形態】
【００１３】
以下、添付図面に基づいてこの発明の実施の形態を説明する。
〔実施形態１〕
図１から図６に示した実施形態１の回転センサ付き軸受は、滑り軸受１が内径面に形成された軸受ハウジング２、エンコーダ３を取り付けたエンコーダホルダー４、センサ５を取り付けたセンサハウジング６の組み合わせからなる。
【００１４】
軸受ハウジング２は、その一端部から軸方向に軸受部７、センサ取り付け部８、及びエンコーダ支持部９が順に設けられる。軸受部７の内径面は軸１０に摺接しており、その摺接面によって滑り軸受１が形成される。軸受ハウジング２は滑り軸受１を形成するに適した合成樹脂等が用いられる。
【００１５】
前記軸受部７とセンサ取り付け部８の境界部分の外径面に位置決めつば１１が設けられ、取り付け対象のフレーム１２の取り付け穴に前記軸受部７を差し込み、位置決めつば１１をフレーム１２に押当てるようにしている。また、軸受部７の外径面に周方向の位置決めを行うために位置決め突起１３が設けられ、前記取り付け穴の内径部に設けた凹部に嵌合させ、回り止めを図るようにしている。
【００１６】
前記のセンサ取り付け部８の外径面からその内径面に達するセンサ挿入穴１５が設けられる。センサ取り付け部８の内径面は、前記の滑り軸受１の内径より大きく形成され、その内径面２０に前記のセンサ挿入穴１５の内端が開放される。また、その内径面２０と軸１０との間に所定の間隔があり、その間隔に前記エンコーダホルダー４に保持されたエンコーダ３が介在される。
【００１７】
前記のエンコーダ支持部９は、前記センサ挿入穴１５の軸１０を中心とした反対側において、前記センサ取り付け部８の外端面に軸方向に突き出して設けられる。前記エンコーダ支持部９の基部１８がセンサ取り付け部８の外径面に一体に設けられる。また、該エンコーダ支持部９とセンサ取り付け部８の端面との間に嵌合溝１９が軸１０と直角方向に設けられる。また、そのエンコーダ支持部９の上面は前記センサ取り付け部８の内径と同芯の円弧面２１となっており、また両方の傾斜側面の下端部に係合凹部２２が設けられる。
【００１８】
前記のセンサハウジング６は、図２（ａ）（ｂ）に示したように、門形の左右の結合アーム２３、２３の下端部に内向きの係合爪２４、２４を設け、上バー２５の中間部から後方に突き出した逆Ｌ形の角軸部２６の下端に前記センサ５をインサート成形したものである。
【００１９】
前記のセンサハウジング６は、その角軸部２６がセンサ挿入穴１５に挿入され、センサ５がセンサ挿入穴１５の下端に臨む。また、一対の結合アーム２３、２３が後述のように、エンコーダホルダー４の抜け止めつば３２の外面に接し、その下端の係合爪２４、２４がエンコーダ支持部９の左右両側の係合凹部２２、２２に係合される（図５参照）。
【００２０】
なお、前記センサ５は図３（ｂ）に示したように、回転方向に間隔をおいた２個のセンサ５を所要の角度θをもって同時成形により角軸部２６の底面部分に埋め込み、回転方向のセンシングが行えるようにすることができる。
【００２１】
前記のエンコーダホルダー４は軸１０に嵌合する大きさの内径を有し、その軸方向の中間部分に抜け止めつば３２が設けられる。その抜け止めつば３２より内端側に支持部３３が設けられ、その支持部３３に円筒形のエンコーダ３が強固に嵌合される。エンコーダ３は磁気式のものであり、センサ５としてはホール素子などの磁気感知素子が用いられる。前記の抜け止めつば３２を前記の嵌合溝１９に嵌合した図１の状態で、エンコーダ３は前記センサ５に対して所定の間隔をおいて径方向に対向する。また、エンコーダホルダー４の抜け止めつば３２より外側の部分は前記の円弧面２１に接して外部に突き出し、その突き出した部分において軸１０に対し着脱自在に取り付けられる。
【００２２】
エンコーダホルダー４の軸１０に対する着脱自在の取り付け手段は、その外端部において対称形に一対の弾性ストッパアーム３４、３４が設けられ、各ストッパアーム３４の先端に設けられた径方向内向きの係合突起３５が軸１０に設けた半径方向の貫通穴３６（図６参照）の両端に係脱自在に係合される。
【００２３】
前記エンコーダホルダー４は、その端部において周方向のスリットとその一端部に連続して形成された軸方向のスリットからなる半周弱のＬ字形スリット３７によって部分的に切り離され、さらに、その切り離された部分の厚み方向中間部分にその端面から軸方向の切り込み３８が前記Ｌ字形スリット３７に達するように設けられる。Ｌ字形スリット３７とこれに通じた前記軸方向の切り込み３８とにより、外表面側に所要肉厚をもった円弧状の前記ストッパアーム３４が中心対称の形状に形成される。各ストッパアーム３４の自由端部に前記の係合突起３５が径方向内向きに形成される。
【００２４】
前記の各ストッパアーム３４、３４を拡径方向に弾性変形させ、その係合突起３５、３５の先端部を軸１０の貫通穴３６に係合させる。
【００２５】
なお、図５に示したように、前記センサハウジング６の門形の結合アーム２３、２３の相互間の間隔ｄは、エンコーダホルダー４の抜け止めつば３２の最大径Ｄより若干小さく形成され、その大きさの差分だけ抜け止めつば３２が結合アーム２３、２３に軸方向に係合され抜け止めが図られる。
【００２６】
実施形態１の回転センサ付き軸受は以上のような構成であり、軸１０の回転によってこれと一体化されたエンコーダホルダー４及びこれに取り付けられたエンコーダ３が回転する。その回転に伴う磁気的変化をセンサ５が検知し、外部にその検知信号を出力する。
【００２７】
廃棄時は軸受ハウジング２、エンコーダホルダー４、エンコーダ３、センサハウジング６の各部品に分解することにより分別廃棄することができる。
〔実施形態２〕
次に、図７は実施形態２を示したものであり、この場合は軸受として含油滑り軸受１ａを軸受ハウジング２の内径面に組み込んだものを示している。その他の構成は前記の実施形態１の場合と同様である。
〔実施形態３〕
図８は実施形態３を示したものであり、この場合は軸受として針状ころ軸受１ｂを軸受ハウジング２の内径面に組み込んだものを示している。その他の構成は前記の実施形態１の場合と同様である。
【図面の簡単な説明】
【００２８】
【図１】実施形態１の断面図
【図２】（ａ）同上の分解斜視図、（ｂ）同上のセンサハウジングの斜視図
【図３】（ａ）図１のIII−III線の断面図、（ｂ）同上のセンサハウジングの部分の底面図
【図４】図１のIV−IV線の断面図
【図５】図１のＶ−Ｖ線の断面図
【図６】実施形態１のエンコーダホルダー取り付け部分の拡大断面図
【図７】実施形態２の一部省略断面図
【図８】実施形態３の一部省略断面図
【符号の説明】
【００２９】
１  滑り軸受
１ａ  含油滑り軸受
１ｂ  針状ころ軸受
２  軸受ハウジング
３  エンコーダ
４  エンコーダホルダー
５  センサ
６  センサハウジング
７  軸受部
８  センサ取り付け部
９  エンコーダ支持部
１０  軸
１１  位置決めつば
１２  フレーム
１３  位置決め突起
１５  センサ挿入穴
１８  基部
１９  嵌合溝
２０  内径面
２１  円弧面
２２  係合凹部
２３  結合アーム
２４  係合爪
２５  上バー
２８  角軸部
３２  抜け止めつば
３３  支持部
３４  ストッパアーム
３５  係合突起
３６  貫通穴
３７  Ｌ字形スリット
３８  切り込み
【図１】
2007024067.tif 000003
【図２】
2007024067.tif 000004
【図３】
2007024067.tif 000005
【図４】
2007024067.tif 000006
【図５】
2007024067.tif 000007
【図６】
2007024067.tif 000008
【図７】
2007024067.tif 000009
【図８】
2007024067.tif 000010